(57)【要約】【課題】建具の下端部側を円滑にガイドし得るガイド部材及びこれを備えた建具装置を提供する。【解決手段】建具幅方向に沿って移動自在に上レール７に支持され、下端部に下向きに開口するガイド溝１３が建具幅方向に沿って設けられた建具１０の下端部側をガイドするガイド部材２０であって、当該ガイド部材の設置対象２に埋め込まれるように配設され上方側に向けて開口する収容部２６ａが設けられたケーシング２６と、このケーシングの収容部に昇降自在に設けられ、前記ガイド溝に挿入されるガイド体２１と、このガイド体を上方側に向けて付勢する付勢部材２８と、を備えており、前記ガイド体の突出方向先端部には、前記ガイド溝の溝底１３ａに当接される突湾曲面部２５が設けられている。【選択図】図１
2018009364.tif 000002
【特許請求の範囲】
【請求項１】
建具幅方向に沿って移動自在に上レールに支持され、下端部に下向きに開口するガイド溝が建具幅方向に沿って設けられた建具の下端部側をガイドするガイド部材であって、
当該ガイド部材の設置対象に埋め込まれるように配設され上方側に向けて開口する収容部が設けられたケーシングと、このケーシングの収容部に昇降自在に設けられ、前記ガイド溝に挿入されるガイド体と、このガイド体を上方側に向けて付勢する付勢部材と、を備えており、
前記ガイド体の突出方向先端部には、前記ガイド溝の溝底に当接される突湾曲面部が設けられていることを特徴とするガイド部材。
【請求項２】
請求項１において、
前記ガイド体の先端部には、前記ガイド溝の溝底に当接されて転動する前記突湾曲面部を構成する転動体が回転自在に設けられていることを特徴とするガイド部材。
【請求項３】
請求項１または２において、
前記突湾曲面部は、球面状とされていることを特徴とするガイド部材。
【請求項４】
請求項１乃至３のいずれか１項に記載のガイド部材と、建具幅方向に沿って移動自在に上レールに支持され、下端部に下向きに開口するガイド溝が建具幅方向に沿って設けられた建具と、を備えていることを特徴とする建具装置。
【発明の詳細な説明】
【技術分野】
【０００１】
本発明は、建具の下端部側をガイドするガイド部材及びこれを備えた建具装置に関する。
【背景技術】
【０００２】
従来より、建具幅方向（戸幅方向）に沿って移動自在に上レールに支持されるいわゆる上吊り式の引戸等の建具が知られている。このような上吊り式の建具は、下端部に下向きに開口するガイド溝（走行溝）が建具幅方向に沿って設けられており、このガイド溝に床面や下枠等に設置されたガイドピンが挿入され、その下端側のガイドがなされる。このようなガイドピンを固定的に設けられる固定ピンとした場合には、建具がスライドする際に上下動すれば、ガイド溝との係合不足や過接触による高摩擦等が生じ易くなることが考えられる。
例えば、下記特許文献１には、床に埋め込まれるように配設されるケーシングに対して昇降自在とされ付勢部材によって上方に付勢され、かつ先端部が引戸のガイド溝に挿入されるガイド体を備えたガイド部材が開示されている。
【先行技術文献】
【特許文献】
【０００３】
【特許文献１】特開２０１３−２２５７号公報
【発明の概要】
【発明が解決しようとする課題】
【０００４】
しかしながら、上記特許文献１に記載されたガイド部材では、上向き平坦面状とされたガイド体の先端面が引戸のガイド溝の下向きの溝底に摺るように接することとなる。そのため、付勢部材によって付勢されていることも相俟ってガイド溝の溝底に対するガイド体の摩擦抵抗が大きくなる傾向があり、更なる改善が望まれる。
【０００５】
本発明は、上記実情に鑑みてなされたものであり、建具の下端部側を円滑にガイドし得るガイド部材及びこれを備えた建具装置を提供することを目的としている。
【課題を解決するための手段】
【０００６】
上記目的を達成するために、本発明に係るガイド部材は、建具幅方向に沿って移動自在に上レールに支持され、下端部に下向きに開口するガイド溝が建具幅方向に沿って設けられた建具の下端部側をガイドするガイド部材であって、当該ガイド部材の設置対象に埋め込まれるように配設され上方側に向けて開口する収容部が設けられたケーシングと、このケーシングの収容部に昇降自在に設けられ、前記ガイド溝に挿入されるガイド体と、このガイド体を上方側に向けて付勢する付勢部材と、を備えており、前記ガイド体の突出方向先端部には、前記ガイド溝の溝底に当接される突湾曲面部が設けられていることを特徴とする。
【０００７】
また、上記目的を達成するために、本発明に係る建具装置は、本発明に係るガイド部材と、建具幅方向に沿って移動自在に上レールに支持され、下端部に下向きに開口するガイド溝が建具幅方向に沿って設けられた建具と、を備えていることを特徴とする。
【発明の効果】
【０００８】
本発明に係るガイド部材及びこれを備えた建具装置は、上述のような構成としたことで、建具の下端部側を円滑にガイドすることができる。
【図面の簡単な説明】
【０００９】
【図１】（ａ）〜（ｃ）は、本発明の一実施形態に係るガイド部材及びこれを備えた建具装置の一例を模式的に示し、（ａ）は、図２（ａ）におけるＸ−Ｘ線矢視に対応させた一部破断概略縦断面図、（ｂ）は、（ａ）に対応させた一部破断概略側面図、（ｃ）は、同ガイド部材の一例を模式的に示す一部を省略した概略斜視図である。
【図２】（ａ）は、同建具装置の一例を模式的に示す一部破断概略正面図、（ｂ）は、（ａ）におけるＹ−Ｙ線矢視に対応させた一部破断概略横断面図である。
【発明を実施するための形態】
【００１０】
以下に本発明の実施の形態について、図面に基づいて説明する。
なお、一部の図では、他図に付している詳細な符号の一部を省略している。
また、以下の実施形態では、ガイド部材及びこれを備えた建具装置が設置された状態を基準として上下方向等を原則的に説明する。
【００１１】
図１及び図２は、本実施形態に係るガイド部材及びこれを備えた建具装置の一例を模式的に示す図である。
本実施形態に係るガイド部材２０は、図１（ａ）及び図２（ａ）に示すように、建具幅方向に沿って移動自在に上レール７に支持され、下端部に下向きに開口するガイド溝１３が建具幅方向に沿って設けられた建具１０の下端部側をガイドする構成とされている。つまり、このガイド部材２０は、上吊り式とされた建具１０の下端部側をガイドする下ガイド部材を構成する。また、ガイド部材２０は、当該ガイド部材２０の設置対象２に埋め込まれるように配設され上方側に向けて開口する収容部２６ａが設けられたケーシング２６を備えている。また、ガイド部材２０は、ケーシング２６の収容部２６ａに昇降自在に設けられ、ガイド溝１３に挿入されるガイド体２１と、このガイド体２１を上方側に向けて付勢する付勢部材２８と、を備えている。また、このガイド体２１の突出方向先端部には、ガイド溝１３の溝底１３ａに当接される突湾曲面部２５が設けられている。
【００１２】
本実施形態に係る建具装置１は、ガイド部材２０と、上レール７に吊下支持され、ガイド部材２０に下端部側がガイドされる建具１０と、を備えている。本実施形態では、図２に示すように、建具を、住居等の建物の壁体を貫通するように設けられた出入口となる開口９を開閉する引戸１０としている。また、建具装置１を、片引き状に配される一枚の引戸１０を備えた構成としている。また、図例では、この引戸１０を、壁体の一部に設けられた袖壁（控え壁）に納められる袖壁納めで建て付けた例を示している。また、この引戸１０を、上レール７が設けられた上枠３を含む開口枠（戸枠）３，４，５，６に建て付けた例を示している。なお、当該建具装置１が上レール７を含む開口枠３，４，５，６を備えた構成としてもよい。
【００１３】
開口枠は、開口９の上側を区画する上枠３と、開口９の左右（開口幅方向）両側を区画する戸先側縦枠４及び中間縦枠（中方立）６と、引戸１０の戸尻側端面に対向される戸尻側縦枠５と、を備えている。また、開口９の下側を、設置対象としての床２によって区画した例を示している。
上枠３には、図１（ａ）に示すように、上レール７を受け入れる凹溝３ａが設けられている。この凹溝３ａは、上枠３の全長に亘って下向きに開口するように設けられている。また、この上枠３の長手方向両端部に戸先側縦枠４及び戸尻側縦枠５の上端部が接合され、長手方向略中央部に中間縦枠６の上端部が接合される。なお、図例では、これら上枠３、一対の縦枠４，５及び中間縦枠６を、固定枠とした例を示しているが、額縁状部材を備えたいわゆるケーシング枠としてもよい。
【００１４】
上レール７は、引戸１０の上端部に設けられた被ガイド部を構成するランナー１１をガイドするガイド溝７ａを下向きに開口するように設けた構成とされている。この上レール７は、ガイド溝７ａを長手方向両端側が開口するように全長に亘って設けた構成とされ、全長に亘って一様な断面形状とされている。また、この上レール７は、全開位置と閉鎖位置とを移動する引戸１０の上端部側のガイドが可能なように、適宜の長さ寸法とされている。また、上レール７は、ガイド溝７ａの溝底側を区画する天壁部７ｂとガイド溝７ａの溝幅方向両側を区画する両側壁部７ｃ，７ｃとを備えている。また、上レール７は、これら両側壁部７ｃ，７ｃの下端部から互いに向き合う方向に突出し、ランナー１１の転動体を案内支持する案内片部７ｄ，７ｄを備えている。なお、図例では、上枠３の凹溝３ａを、上レール７の上側略半部を受入可能とした例を示しているが、上レール７の略全体を受入可能とした構成としてもよい。
【００１５】
引戸１０は、図２に示すように、略矩形平板状とされ、開口９の閉鎖が可能なように、適宜の戸幅寸法及び戸高寸法とされている。
また、この引戸１０の上端部には、上レール７にガイドされる被ガイド部としてのランナー１１が設けられている。図例では、引戸１０の上端部の建具幅（戸幅）方向両端部のそれぞれにランナー１１，１１を設けた例を示している。
これらランナー１１，１１には、図１（ａ）に示すように、上レール７の案内片部７ｄ，７ｄ上を上レール７の長手方向に沿って転動する転動体（ローラー）が設けられている。
また、引戸１０の戸先側端部の戸厚方向両側には、引手１４が設けられている（図２（ａ）参照）。これら引手１４は、掘込状とされたものとしてもよく、上下方向に延びる棒状（バー状）とされたものとしてもよい。
この引戸１０の下端部に設けられたガイド溝１３は、戸幅方向に延びるように戸幅方向の全体に亘って設けられている。このガイド溝１３は、溝長手方向（戸幅方向）に見て、略矩形溝状とされ、下方側に向く溝底１３ａと戸厚方向に向く溝幅方向両側の溝側壁１３ｂ，１３ｂとによって区画されている。また、このガイド溝１３は、戸厚方向略中心に設けられている。また、図例では、引戸１０の下端部に下向きに開口するように凹溝を設け、この凹溝に嵌め込まれたガイド溝部材１２にガイド溝１３を設けた例を示している。
【００１６】
本実施形態では、このガイド溝１３に挿入されて引戸１０の下端部側をガイドする本実施形態に係るガイド部材２０に加えて、他のガイド部材としての第２ガイド部材８を設けた構成としている。つまり、本実施形態では、複数の下ガイド部材を構成するガイド部材２０及び第２ガイド部材８によって引戸１０の下端部側をガイドする構成としている。これらガイド部材２０及び第２ガイド部材８は、引戸１０の下方側に配設され、全開位置と閉鎖位置とを移動する引戸１０の移動軌跡に沿って間隔を空けて配設される。また、引戸１０の移動軌跡の両端部近傍部位となる戸先側縦枠４近傍部位及び戸尻側縦枠５近傍部位のそれぞれに位置するように、２つの第２ガイド部材８，８を設けた例を示している。なお、これら第２ガイド部材８，８は、当該建具装置１が備えた構成としてもよい。
【００１７】
これら第２ガイド部材８，８は、設置対象としての床２に埋込状に配設されるケーシングに対して出没自在とされ、磁力によって上方に向けて突出するガイドピンを備えた構成とされたいわゆるマグネットガイドとしてもよい。この場合は、引戸１０のガイド溝１３の溝底１３ａ側に、ガイドピンに設けられた磁石を吸着する磁石や鉄板等の強磁性体を設けた構成としてもよい。また、これら第２ガイド部材８，８としては、ガイドピンが小径の第１ピンとこれが嵌め込まれる大径の第２ピンとからなる二段階伸縮構造とされたものとしてもよい。このように二段階構造とした場合には、ガイド溝１３の戸幅方向両端部の溝幅寸法を、ガイドピンを円滑に受入可能なように第２ピンの径よりも大とし、ガイド溝１３の戸幅方向中心側の溝幅寸法を、第１ピンの径に応じた寸法としてもよい。また、ガイド溝１３の幅広部に連なる戸幅方向両端部位の溝幅方向両側に、突出した第１ピンに対して第２ピンを下降させる、戸幅方向中心側から両端に向かうに従い溝底１３ａに向けて傾斜する傾斜部をそれぞれに設けた構成としてもよい。つまり、ガイド溝１３の戸幅方向両端部位の溝幅方向両側に、第２ピンに対する第１ピンの嵌まり込みを解除する解除部となる傾斜部を設けた構成としてもよい。
【００１８】
また、図例では、これら第２ガイド部材８，８のガイドピン及びケーシングを平面視して略円形状とした例を示している。なお、後記するガイド部材２０と同様、これら第２ガイド部材８，８のガイドピンを、平面視してケーシングに対して偏心状に設けた構成としてもよい。また、本実施形態に係るガイド部材２０とによって引戸１０の下端部側をガイドする第２ガイド部材８，８としては、その他、種々の構成とされたものの採用が可能であり、さらには、このような第２ガイド部材８，８を設けていない構成としてもよい。
【００１９】
ガイド部材２０は、当該ガイド部材２０の上方側に、全開位置と閉鎖位置とを移動する引戸１０が常時、位置するような位置に配設される構成とされている。つまり、ガイド部材２０のガイド体２１がガイド溝１３に常時、挿入された状態で、引戸１０が全開位置と閉鎖位置とを移動する構成とされている。図例では、ガイド部材２０を、引戸１０の移動軌跡の略中央部に位置するように設けた例を示している。つまり、全開位置とされた引戸１０の戸先側端部の下方側に位置し、閉鎖位置とされた引戸１０の戸尻側端部の下方側に位置するようにガイド部材２０を設けた構成としている。また、図例では、中間縦枠６の見込方向一方側（引戸１０側）に位置するようにガイド部材２０を設けた構成としている。
【００２０】
また、ガイド部材２０のガイド体２１は、床２に埋込状に配設されるケーシング２６の上面から上方側に向けて突出するように配され、その突出方向先端側部位が引戸１０のガイド溝１３に挿入される。本実施形態では、このガイド体２１の先端部の突湾曲面部２５を球面状としている。また、ガイド体２１の先端部に、ガイド溝１３の溝底１３ａに当接されて転動する突湾曲面部を構成する転動体２５を回転自在に設けた構成としている。
また、本実施形態では、ガイド体２１及びケーシング２６を、平面視して略円形状としている。また、これらガイド体２１及びケーシング２６の外郭形状を、突出方向に軸方向を沿わせた略円柱形状（略円筒形状）としている。また、図１（ｃ）に示すように、ガイド体２１を、平面視してケーシング２６に対して偏心状に設けた構成としている。つまり、ガイド体２１を、平面視して、その円心がケーシング２６の円心から径方向に片寄った位置となるように設けた構成としている。なお、このような態様に代えて、ガイド体２１を、平面視して、その円心がケーシング２６の略円心に位置するようにケーシング２６に対して略同心状に設けた構成としてもよい。
【００２１】
ケーシング２６は、図１に示すように、上下に開口する略円筒形状とされ、その中空部が収容部２６ａを構成する。また、本実施形態では、このケーシング２６をインナーケーシングとして収容するアウターケーシング２９を備えた構成としている。
アウターケーシング２９は、上下に開口する略円筒形状とされ、上端部に床面に当接される鍔部を設け、下端内周部にケーシング２６の下端外周部に設けられた係合溝２６ｃに係合する突起を適所に設けた構成とされている。また、アウターケーシング２９の外周部に、設置対象としての床２を構成する床材等に食い込む複数の突起を設けた構成としている。ケーシング２６は、床２に埋込状に固定されたアウターケーシング２９に対して上下方向に沿う軸回りに回転自在とされたものとしてもよい。これによれば、上記のようにガイド体２１をケーシング２６に対して偏心状に設けた場合には、床２に配設されたアウターケーシング２９に対してケーシング２６を回転させることで、ガイド体２１の溝幅方向の位置調整（微調整）が可能となる。
【００２２】
ケーシング２６は、上端部にアウターケーシング２９の鍔部に重ね合わせられるように配される鍔部を設け、下端外周部に、アウターケーシング２９の突起が係合する周方向に延びる係合溝２６ｃを設けた構成とされている。
また、このケーシング２６の内周部の対向する部位には、ガイド体２１の下端部に設けられた一対の係合突起２１ｃ，２１ｃが係合する係合凹溝２６ｂ，２６ｂが互いに向き合う方向に開口しかつ上下方向に延びるように設けられている。これら係合凹溝２６ｂ，２６ｂは、ケーシング２６の下端において開口するようにケーシング２６の下端から上下方向途中部位まで設けられている。これら係合凹溝２６ｂ，２６ｂにガイド体２１の係合突起２１ｃ，２１ｃが係合し、ガイド体２１が上下に昇降自在にガイドされる。また、これら係合凹溝２６ｂ，２６ｂの上端部の下方側に向く天面にガイド体２１の係合突起２１ｃ，２１ｃが当接され、上限位置とされたガイド体２１の上方側への更なる移動が抑止される。
【００２３】
また、ケーシング２６の収容部２６ａには、ガイド体２１を付勢する付勢部材２８を保持する保持部２７が設けられている。図例では、付勢部材２８を、圧縮コイルばねとし、この付勢部材２８の下端部を保持するピン状の保持部２７をケーシング２６の内周部から突出させるように設けた例を示している。
なお、ケーシング２６を収容するアウターケーシング２９を設けていない構成としてもよく、また、ガイド体２１を昇降自在に収容するケーシング２６としては、その他、種々の変形が可能である。
【００２４】
ガイド体２１は、図１（ａ）、（ｂ）に示すように、ケーシング２６の収容部２６ａに下側部位となる下端側部２２が上下方向に昇降自在に収容される構成とされている。このガイド体２１の下端外周部には、径方向に突出し、上記したケーシング２６の係合凹溝２６ｂ，２６ｂにそれぞれが係合する一対の係合突起２１ｃ，２１ｃが設けられている。
これら係合突起２１ｃ，２１ｃが係合凹溝２６ｂ，２６ｂの天面に当接されて上限位置とされたガイド体２１は、比較的に大きく突出した状態となる。一方、付勢部材２８の弾性変形を伴ってガイド体２１が最大限下降されて下限位置とされた場合にも、ガイド体２１の突出方向先端側部位は、ケーシング２６の上面から突出した状態となる。なお、図１（ａ）では、先端側部位がガイド溝１３に挿入されたガイド体２１が上限位置とされたような状態を示しているが、このような態様に限られない。例えば、引戸１０が全開位置と閉鎖位置とを移動する際に、ガイド体２１が上限位置とならないように、引戸１０を建て付けるようにしてもよい。
【００２５】
また、このガイド体２１には、下方側に向けて開口し、付勢部材２８の上端側部位を受け入れるばね収容凹所２１ａが設けられている。このばね収容凹所２１ａの下方側に向く天面に付勢部材２８の上端が当接され、ガイド体２１が付勢部材２８によって上方側に向けて付勢される。なお、付勢部材２８としては、図例のような圧縮コイルばねに限られず、他のばね部材やゴム部材等、種々の構成とされたものの採用が可能である。また、付勢部材２８に応じてガイド体２１及びケーシング２６の保持部２７等を適宜、変形するようにしてもよい。また、ガイド体２１には、付勢部材２８の下端部を保持する保持部２７を受け入れる切欠状の受入開口２１ｂが設けられている。この受入開口２１ｂは、ガイド体２１の下端において開口し、ガイド体２１の下端部側周部を貫通するようにかつ上下方向に延びるように設けられている。
【００２６】
また、本実施形態では、ガイド体２１の先端側部位のガイド溝１３の溝幅方向に沿う寸法（径）を、下端側部２２の溝幅方向に沿う寸法（径）よりも小（小径状）としている。また、これら下端側部２２と先端側部位とを略同心状に設けた構成としている。つまり、本実施形態では、ガイド体２１を、段付略円柱形状としている。ガイド体２１の先端側部位の突出寸法は、突湾曲面部を構成する転動体２５がガイド溝１３の溝底１３ａに当接した状態で、下端側部２２と先端側部位との段部に引戸１０の下端面が当接しないように適宜の寸法とされている。
また、このガイド体２１の先端側部位を、下端側部２２の上端側に連なるように設けられ、略円柱形状とされた基端ガイド部２３と、この基端ガイド部２３の上端側に連なるように設けられ、略円錐台形状とされた先端ガイド部２４と、を備えた構成としている。
【００２７】
基端ガイド部２３は、ガイド溝１３の溝幅方向に沿う寸法（径）が、ガイド溝１３の溝幅寸法に応じた寸法とされ、該溝幅寸法よりも僅かに小さい寸法とされている。この基端ガイド部２３がガイド溝１３の開口側部位の溝幅方向両側の溝側壁１３ｂ，１３ｂに当接されて規制され、引戸１０の下端部側の戸厚方向への振れが抑制される。
先端ガイド部２４は、先端側（上端側）に向かうに従い先細り状とされている。つまり、この先端ガイド部２４は、先端部が基端部よりも小径状の略円錐台形状とされている。この先端ガイド部２４は、ガイド溝１３の戸幅方向両端部位の溝幅方向両側に、上記のような傾斜部を設けた場合には、これら両側の傾斜部に先端面を接触させることなくテーパ状の側周面が接触するように形成されたものとしてもよい。
【００２８】
突湾曲面部を構成する転動体２５は、本実施形態では、外郭面が球面状とされた球体（ボール）とされている。この転動体２５の径は、平面視して円形状とされた先端ガイド部２４の先端面の径よりも小径状とされている。
ガイド体２１の先端部には、この転動体２５を転動自在に保持する保持部が設けられている。図例では、転動体２５の上端側部位を露出させる開口が上端部に設けられた保持カバーを、ガイド体２１の先端側部位の外郭を構成するようにガイド体２１の先端側部位に設けた例を示している。また、この保持カバーによって覆われたガイド体２１の先端側部位の内方側部位の先端面に、転動体２５の下端側部位を受け入れる凹湾曲面状の保持凹部を設けた例を示している。なお、転動体２５の保持部に、転動体２５が円滑に転動するように適宜、潤滑剤等を封入するようにしてもよい。また、転動体２５を転動自在に保持する保持部としては、図例のような態様に限られず、その他、種々の変形が可能である。
【００２９】
上記のように保持された転動体２５は、付勢部材２８によるガイド体２１の付勢によってガイド溝１３の溝底１３ａに押し付けられるように当接され、引戸１０の移動を伴って回転する構成とされている。なお、複数の転動体２５をガイド体２１の先端部に設けた構成としてもよい。
また、ガイド部材２０を構成する各部は、各部の機能に応じて合成樹脂系材料や金属系材料等から形成されたものとしてもよい。
また、建具装置１に、引戸１０の閉鎖側及び開放側のうちの両方または一方への移動を助勢（アシスト）する自動スライド機構や、閉鎖側及び開放側のうちの両方または一方に移動する引戸１０を減速させる引込機能を有した緩衝機構等を設けた構成としてもよい。
【００３０】
本実施形態に係るガイド部材２０及びこれを備えた建具装置１は、上述のような構成としたことで、建具（引戸）１０の下端部側を円滑にガイドすることができる。
つまり、引戸１０のガイド溝１３に挿入されるガイド体２１を、設置対象（床）２に埋め込まれるように配設されるケーシング２６の収容部２６ａに昇降自在に設け、かつ付勢部材２８によって上方側に付勢された構成としている。従って、引戸１０がスライドする際に上下動するような場合にも、ガイド部材を床や戸枠等に固定的に設けられる固定ピンとした場合と比べて、ガイド溝１３との係合不足や過接触による高摩擦等を生じ難くすることができる。つまり、図１（ｂ）に示すように、上レール７の施工誤差や引戸１０の加工誤差、引戸１０の開閉の際の揺動や振動等によって引戸１０の下端面が下降する場合にも、ガイド体２１が収容部２６ａに押し込まれるように下降する。これにより、ガイド体２１が引戸１０のガイド溝１３の溝底１３ａを過度に突き上げるようなことを抑制することができる。
【００３１】
また、床２に埋込状に配設されるケーシング２６に対してガイド体２１が昇降されるので、例えば、ケーシング２６を床２上に設置するようなものと比べて、引戸１０の下端と床２との隙間を効果的に小さくすることができる。
また、ガイド体２１の突出方向先端部に、ガイド溝１３の溝底１３ａに当接される突湾曲面部（転動体）２５を設けた構成としている。従って、例えば、ガイド体２１の先端面を上向きの平坦面状とした場合と比べて、付勢部材２８によって付勢されたガイド体２１の溝底１３ａに対する摩擦抵抗を小さくすることができ、引戸１０の下端部側を円滑にガイドすることができる。これにより、例えば、引戸１０をスライド方向に助勢（アシスト）する自動閉鎖機構等が設けられているような場合にも、ガイド体２１の摩擦抵抗によって引戸１０が途中で停止するようなことを抑制することができる。
【００３２】
また、本実施形態では、突湾曲面部２５を球面状としている。従って、突湾曲面部２５が点接触的にガイド溝１３の溝底１３ａに当接されることとなる。これにより、例えば、突湾曲面部２５を、ガイド溝１３の溝底１３ａに線接触的に接触される円柱面状とした場合と比べて、ガイド溝１３の溝底１３ａに対するガイド体２１の先端部の摩擦抵抗を効果的に小さくすることができる。
また、本実施形態では、ガイド体２１の先端部に、ガイド溝１３の溝底１３ａに当接されて転動する突湾曲面部を構成する転動体２５を回転自在に設けた構成としている。従って、ガイド溝１３の溝底１３ａに対するガイド体２１の先端部の摩擦抵抗を極めて小さくすることができ、引戸１０の下端部側をより円滑にガイドすることができる。
【００３３】
なお、本実施形態では、転動体２５を、球面を構成する球体状とした例を示しているが、このような態様に代えて、例えば、戸厚方向に沿う軸回りに回転自在とされ、外周面が周方向に見て突湾曲面形状とされたローラー状とされたものとしてもよい。または、突湾曲面部としての円柱面を構成する円筒ローラー状とされたものとしてもよい。つまり、突湾曲面部２５を、線接触的にガイド溝１３の溝底１３ａに当接される構成とされたものとしてもよい。
また、突湾曲面部を転動体２５とした態様に代えて、ガイド体２１の先端部に固定的（一体的）に設けられたものとしてもよい。例えば、球面状（半球面状）や円柱面状（半円柱面状）とされた突湾曲面部をガイド体２１の先端部に固定的に設けた構成としてもよい。また、円柱面状（半円柱面状）とされた突湾曲面部をガイド体２１の先端部に設けた場合には、溝底１３ａに線接触的に接触される部位が戸厚方向または戸幅方向に延びるように設けられたものとしてもよい。また、このような種々の突湾曲面部２５を、ガイド体２１の先端部に複数設けた構成としてもよい。
【００３４】
また、本実施形態では、ガイド体２１及びケーシング２６（アウターケーシング２９）を、上下方向に軸方向を沿わせた略円柱状（略円筒状）とした例を示しているが、このような態様に限られない。これらガイド体２１及びケーシング２６（アウターケーシング２９）のうちの両方または一方を、略多角柱状（略多角筒状）や、平面視して楕円状や細長状等の種々の形状としてもよい。
また、本実施形態では、建具装置１に単一の引戸１０を設けた例を示しているが、複数枚の引戸１０を設けた構成としてもよい。この場合は、例えば、複数枚の引戸１０を、引き違い状や引き分け（両引き）状に配設されるものとしてもよい。また、この場合は、上レール７や、ガイド部材２０、第２ガイド部材８等を設ける位置や個数、形状等を適宜、変形するようにしてもよい。
また、本実施形態では、建具装置１の建具を、引戸１０とした例を示しているが、このような態様に代えて、障子や襖、間仕切パネル等としてもよい。
また、上記した例では、引戸（建具）１０を袖壁納めとした例を示しているが、このような態様に代えて、戸袋納めやいわゆるアウトセット納め等としてもよい。
【符号の説明】
【００３５】
１      建具装置
１０    引戸（建具）
１３    ガイド溝
１３ａ  溝底
２０    ガイド部材
２１    ガイド体
２５    転動体（突湾曲面部）
２６    ケーシング
２６ａ  収容部
２８    付勢部材
２      床（設置対象）
７      上レール
【図１】
2018009364.tif 000003
【図２】
2018009364.tif 000004